(57)【要約】【課題】シェーディング補正後の画像データから発生する画像不良を防止する。【解決手段】画像読取装置１０は、シェーディングメモリ５２と、シェーディング補正回路５４と、欠陥画素抽出部５６と、読み取り画像データ補正部５８と、を備える。シェーディングメモリ５２は、シェーディング基準データを記憶する。シェーディング補正回路５４は、シェーディング基準データに基づいて撮像部１８において読み取られた画像データをシェーディング補正する。欠陥画素抽出部５６は、シェーディング基準データに基づき欠陥画素Ｐ３を抽出する。読み取り画像データ補正部５８は、欠陥画素Ｐ３に対応するシェーディング補正後のデータＤ３を、欠陥画素の周辺の画素Ｐ２および画素Ｐ４に対応するシェーディング補正後のデータＤ２およびデータＤ４に基づき補正する。【選択図】図３
2012044365.tif 000002
【特許請求の範囲】
【請求項１】
原稿に光を照射する光源と、前記原稿からの反射光から画像データを読み取るイメージセンサとを有する画像読取装置であって、
シェーディング基準データを記憶する記憶部と、
前記シェーディング基準データに基づいて、前記イメージセンサによって読み取られた画像データをシェーディング補正するシェーディング補正演算部と、
前記シェーディング基準データに基づき欠陥画素を抽出する欠陥画素抽出部と、
前記欠陥画素に対応するシェーディング補正後の画像データを、前記欠陥画素の周辺画素に対応するシェーディング補正後の画像データに基づき補正する読み取り画像データ補正部と、
を備える画像読取装置。
【請求項２】
前記読み取り画像データ補正部は、前記欠陥画素の周辺の複数の画素に対応するシェーディング補正後の複数の画像データの平均値に基づき、前記欠陥画素に対応する画像データを補正する請求項１に記載の画像読取装置。
【請求項３】
前記シェーディング基準データは、白基準データおよび黒基準データを含む、請求項１または２に記載の画像読取装置。
【発明の詳細な説明】
【技術分野】
【０００１】
本発明は、複写機等が備える画像読取装置に関し、特にシェーディング補正を行う画像読取装置に関する。
【背景技術】
【０００２】
スキャナ装置、ファクシミリ装置および複写機等においては、ＣＣＤ（Ｃｈａｒｇｅ  Ｃｏｕｐｌｅｄ  Ｄｅｖｉｃｅ）等の縮小光学系の読み取りユニットを読み取り載置台に内蔵させたフラットベッドスキャナを画像読取装置として用いるものがある。
従来、画像読取装置によって原稿を読み取った場合に、ＣＣＤの各光電変換素子の感度のばらつきおよび照明光源の光量分布のばらつき等を補正するために、読み取られた画像信号にシェーディング補正を行う。シェーディング補正とは、白色の基準板の表面を読み取り、読み取った画像信号の各画素値を白色の基準値として記憶し、その基準値に基づき原稿の読み取りによって得られたＣＣＤからの画像信号を補正する技術である（例えば、特許文献１を参照）。
【先行技術文献】
【特許文献】
【０００３】
【特許文献１】特開２００２−３５９７４２号公報
【発明の概要】
【発明が解決しようとする課題】
【０００４】
ＣＣＤの製品の性質上、周辺の光電変換素子に比べて感度が著しく異なる光電変換素子がＣＣＤ内に取り付けられている場合がある。このような周辺の光電変換素子と著しい感度差を有する光電変換素子から出力された画像信号は、リニアリティ特性が異なるため、シェーディング補正を行うと、原稿の濃度に対して正常濃度とは異なる濃度レベルを有して出力される。またこのような濃度レベルの差は、シェーディング補正の後段処理であるエッジ強調処理によってさらに強調される。従って、周辺の光電変換素子と著しい感度差を有する光電変換素子から出力された画像信号は、結果としてライン状のノイズを発生させ、またこのようなライン状のノイズを解消するためには、ＣＣＤ自体を交換せざるをえないという問題があった。
【０００５】
本発明の課題は、シェーディング補正後の画像データから発生する画像不良を防止することにある。
【課題を解決するための手段】
【０００６】
以下に、課題を解決するための手段として複数の態様を説明する。これら態様は、必要に応じて任意に組み合わせることができる。
本発明の一見地に係る画像読取装置は、原稿に光を照射する光源と、原稿からの反射光から画像データを読み取るイメージセンサとを有する画像読取装置である。画像読取装置は、記憶部と、シェーディング補正演算部と、欠陥画素抽出部と、読み取り画像データ補正部と、を備える。記憶部は、シェーディング基準データを記憶する。シェーディング補正演算部は、シェーディング基準データに基づいて、イメージセンサによって読み取られた画像データをシェーディング補正する。欠陥画素抽出部は、シェーディング基準データに基づき欠陥画素を抽出する。読み取り画像データ補正部は、欠陥画素に対応するシェーディング補正後の画像データを、欠陥画素の周辺画素に対応するシェーディング補正後の画像データに基づき補正する。
【０００７】
ここでは、欠陥画素抽出部によって抽出された欠陥画素に対応するシェーディング補正後の画像データを、欠陥画素の周辺画素に対応するシェーディング補正後の画像データに基づき補正する。従って、シェーディング補正後の画像データから発生する画像不良の発生を防止できる。
【０００８】
読み取り画像データ補正部は、欠陥画素の周辺の複数の画素に対応するシェーディング補正後の複数の画像データの平均値に基づき欠陥画素に対応する画像データを補正してもよい。
シェーディング基準データは、白基準データおよび黒基準データを含んでいてもよい。
【発明の効果】
【０００９】
本発明によると、シェーディング補正後の画像データから発生する画像不良を防止できる。
【図面の簡単な説明】
【００１０】
【図１】複合機全体の斜視図である。
【図２】画像読取装置の内部の構成を示した断面図である。
【図３】画像読取装置の機能構成を示すブロック図である。
【図４】周囲画素と著しい感度差を有する画素を含むＣＣＤによって読み取られた白基準データを示す図である。
【図５】他の実施形態における読み取り画像データ補正部による補正値の算出に用いられる画像データを示す図である。
【発明を実施するための形態】
【００１１】
（１）複合機１の概要
本実施形態の複合機１は、ファクシミリ通信、電子メール通信、および画像形成等を実行する。図１を用いて、複合機１の構成を説明する。図１は、複合機全体の斜視図である。複合機１は、画像読取装置１０と、画像形成装置３０とを備える。
【００１２】
画像読取装置１０について、さらに図２を用いて説明する。図２は、画像読取装置の内部の構成を示した断面図である。
画像読取装置１０は、原稿の画像を読み取り、読み取った画像の画像データを生成するものである。画像読取装置１０は、筐体１２内に、光源１４と、複数の反射鏡１６と、撮像部１８と、プラテンガラス２０と、シェーディングプレート２２と、を有する。画像読取装置１０は、筐体１２に対して開閉自在に取り付けられＡＤＦ（Ａｕｔｏ  Ｄｏｃｕｍｅｎｔ  Ｆｅｅｄｅｒ）装置２４を装備する原稿押さえカバー２６をさらに有する。
【００１３】
画像読取装置１０において、光源１４からプラテンガラス２０上の原稿またはシェーディングプレート２２に照射されて反射した光は、複数の反射鏡１６によって反射されながら撮像部１８へと導かれる。
光源１４は、例えは冷陰極管または白色蛍光灯等によって構成され、プラテンガラス２０上の原稿または、シェーディングプレート２２に光を照射する。
複数の反射鏡１６は、原稿またはシェーディングプレート２２からの反射光を走査方向へ反射する。
【００１４】
撮像部１８は、原稿またはシェーディングプレート２２からの画像情報を得る。撮像部１８は、複数の反射鏡１６で反射された光を受光し、原稿の内容またはシェーディング基準データを検出し、画像データを出力する。撮像部１８については、後に詳述する。
【００１５】
筐体１２の上面には、原稿を載せるプラテンガラス２０が配置されている。プラテンガラス２０上に置かれた原稿は、原稿押さえカバー２６が閉じられることにより固定される。
シェーディングプレート２２は、プラテンガラス２０の副走査方向における一方側端部に、主走査方向を長手方向として設けられている。シェーディングプレート２２は、シェーディング補正を行うための白基準となる白基準板であり、白色テープが貼り付けられたり、白色に塗装されたりすることによって白色に形成されている。このシェーディングプレート２２の画像を白色の基準画像として撮像部１８が読み取ることにより、シェーディング基準データが取得される。取得されたシェーディング基準データは、後述するシェーディングメモリ５２に格納される。
【００１６】
原稿押さえカバー２６は、筐体１２に回動可能に取り付けられている。原稿押さえカバー２６の上面には、原稿を所定の読取部位に送るためのＡＤＦ装置２４が設けられている。ＡＤＦ装置２４には、ＡＤＦ装置２４に供給する原稿を載せるための原稿トレイ（図示せず）が接続されている。
【００１７】
上記の構成を有する画像読取装置１０は、原稿固定読みモードと原稿流し読みモードとを有する。原稿固定読みモードでは、プラテンガラス２０に載置された原稿を原稿押さえカバー２６を閉じて固定した状態で、走査する撮像部１８が主走査ライン毎に原稿の内容の読み取りを行う。
原稿流し読みモードでは、原稿は、ＡＤＦ装置２４により搬送され、プラテンガラス２０の上方を通過する際に、静止する撮像部１８によって原稿の内容が主走査ライン毎に読み取られる。
なお、筐体１２には、画像形成に関する動作を入力するための操作部２８が設けられていてもよい。
【００１８】
画像形成装置３０は、筐体３２を備えると共に、筐体３２の内部に設けられた画像形成部３４、制御部３６、給紙カセット３８および排紙部４０、ならびに図示しない定着部および用紙搬送部を有する。
【００１９】
画像形成部３４は、画像読取装置１０から出力された原稿の画像データおよびパーソナルコンピュータから送られてきた画像データに基づいて用紙に画像を形成する。
制御部３６は、複合機１内の各部の動作を制御する。具体的には、制御部３６は、ＣＰＵ（Ｃｅｎｔｒａｌ  Ｐｒｏｃｅｓｓｉｎｇ  Ｕｎｉｔ）等の演算処理装置を備える。また制御部３６は、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、及びＨＤＤ（Ｈａｒｄ  Ｄｉｓｋ  Ｄｒｉｖｅ）等の記録媒体を備える。ＣＰＵがＲＯＭ等の記録媒体内のプログラムを読み出して実行することによって、制御部３６の種々の機能が実現される。
【００２０】
給紙カセット３８は、その内部に画像形成前の用紙の束を収容する。給紙カセット３８は、筐体３２に対して出し入れ可能に設けられる。
定着部は、加熱ローラおよび圧力ローラを備える。定着部は、転写後の用紙に熱および圧力を加えることで、トナー像を用紙上に定着させる。用紙搬送部は、搬送路および複数のローラを備え、給紙カセット３８から、画像形成部３４および定着部を通って排紙部４０まで用紙を搬送する。排紙部４０は、筐体３２の上面にある。
【００２１】
（２）画像読取装置の機能構成
次に本実施形態の画像読取装置１０の基本機能構成について、図３を参照して説明する。図３は、画像読取装置の機能構成を示すブロック図である。
【００２２】
図３に示すとおり、画像読取装置１０は、前述した撮像部１８の他にさらに画像処理部５０を備える。本実施形態では、画像読取装置１０の各部の動作は、前述の制御部３６により制御される。しかし、これに限定されず、例えば画像読取装置１０内に制御部を設け、その制御部によって画像読取装置１０の各部の動作が制御されてもよい。
【００２３】
撮像部１８は、ＣＣＤ（Ｃｈａｒｇｅ  Ｃｏｕｐｌｅｄ  Ｄｅｖｉｃｅ）４２、ＡＦＥ（Ａｎａｌｏｇ  Ｆｒｏｎｔ−Ｅｎｄ）４４およびＡ／Ｄ変換部４６を有する。
【００２４】
ＣＣＤ４２は、原稿からの反射光に応じた検出信号を生成する撮像素子である。ＣＣＤ４２は、原稿の１走査線の画像を読み取り、所定間隔をおいて次の走査線画像を順次に読み取り、検出信号を生成する。ＣＣＤ４２は、複数の画素、つまり複数の光電変換素子を有している。ＡＦＥ４４は、ＣＣＤ４２からの出力をアナログ増幅する。Ａ／Ｄ変換部４６は、ＣＣＤ４２からの検出信号であるアナログ信号をデジタル信号に変換する変換手段であり、画素毎の輝度データをデジタルの画像データとして出力する。
【００２５】
画像処理部５０は、制御部３６の制御のもと、撮像部１８から入力された画像データに対して画像処理を施す。
画像処理部５０は、シェーディングメモリ５２、シェーディング補正回路５４、欠陥画素抽出部５６、読み取り画像データ補正部５８、エッジ強調回路７２、ガンマ補正回路７４、２値化回路７６およびシリアル／パラレル変換回路７８を有する。
【００２６】
シェーディングメモリ５２には、シェーディング基準データとして、白基準データおよび黒基準データが記憶される。白基準データとは、光源１４が光を照射したときに、シェーディングプレート２２からの反射光をＣＣＤ４２が受光することで得られる画像データである。一方、黒基準データとは、光源１４による光の照射がなく、シェーディングプレート２２からの反射光の受光が可能な位置にＣＣＤ４２を配置したときに得られる画像データである。
【００２７】
このシェーディング基準データは、画像の読み取りを行うたびに取得又は修正がなされて、シェーディングメモリ５２に記憶されてもよい。一方、画像読取装置１０の製造時においてシェーディング基準データが予め設定され、シェーディングメモリ５２に記憶されていてもよい。
【００２８】
シェーディング補正回路５４は、シェーディングメモリ５２に記憶されたシェーディング基準データにより、撮像部１８より出力される画像データに対して、光電変換素子間の感度ばらつきまたはレンズ特性等を補正するシェーディング補正を施す。具体的には、シェーディング補正回路５４は、シェーディング基準データである白基準データと黒基準データとを用いて、式、Ｖ’＝｛（Ｖ−Ｖｋ）／（Ｖｗ−Ｖｋ）｝×（２n−１）を演算して、原稿読み取り時の画像デ−タを画素毎にシェーディング補正をする。ここで、Ｖｗとは白基準データ、Ｖｋとは黒基準データ、Ｖはシェーディング補正前の画像データのデジタル信号、Ｖ’とはシェーディング補正値、ｎはＡ／Ｄ変換部４６のビット数である。シェーディング補正回路５４は、補正後の画像データを読み取り画像データ補正部５８に出力する。
【００２９】
欠陥画素抽出部５６は、シェーディングメモリ５２のシェーディング基準データを参照し、ＣＣＤ４２の欠陥画素を抽出する。ＣＣＤ４２の欠陥画素とは、ＣＣＤ４２内における周辺画素と著しい感度差を有する光電変換素子である。例えば、周囲の画素と著しい感度差を有する画素がある場合、図４に示すとおり、欠陥画素の対応する画素位置において、シェーディング基準データの信号レベルに著しい落ち込みが発生する。図４は、周囲画素と著しい感度差を有する画素を含むＣＣＤによって読み取られた白基準データを示す図である。図４において、縦軸は白基準データの信号レベルを示し、横軸はＣＣＤ４２の画素位置を示す。ＣＣＤ４２が６つの画素Ｐ１〜Ｐ６を有する例を挙げると、図４においてシェーディング基準データの信号レベルに著しい落ち込みが発生した画素位置に対応するＰ３が欠陥画素である。
【００３０】
本実施形態において欠陥画素抽出部５６は、白基準データを１画素ずつ判定する。欠陥画素抽出部５６は、周囲と所定の値以上異なる信号レベルを有する白基準データがある場合に、その白基準データを異常データと判定し、また異常データを読み取った画素を欠陥画素として抽出する。欠陥画素抽出部５６は、その抽出結果を読み取り画像データ補正部５８へ出力する。
以下、欠陥画素抽出部５６が、画素Ｐ１〜Ｐ６のうちＰ３を欠陥画素として抽出し、ＣＣＤ４２の画素Ｐ１〜Ｐ６によって読み取られた後にシェーディング補正回路５４によって補正された画像データをデータＤ１〜Ｄ６とする例を挙げて説明する。
なお、本実施形態では、欠陥画素抽出部５６は、白基準データに基づき欠陥画素を抽出するが、黒基準データに基づき欠陥画素を抽出してもよい。
【００３１】
読み取り画像データ補正部５８は、欠陥画素抽出部５６による抽出結果に基づき、欠陥画素が読み取る画像データを、欠陥画素の周辺の正常画素が読み取りシェーディング補正された画像データに基づき補正する。ここでは、読み取り画像データ補正部５８は、欠陥画素抽出部５６によって検出された欠陥画素Ｐ３が読み取ったデータＤ３を、欠陥画素Ｐ３の主走査方向の１ラインにおける前後の画素Ｐ２、Ｐ４が読み取ったデータＤ２、Ｄ４に基づき補正する例を挙げる。
【００３２】
読み取り画像データ補正部５８は、ラッチ回路６０、補正値算出回路６８およびセレクタ７０を有する。
【００３３】
ラッチ回路６０は、シェーディング補正回路５４から出力されたシェーディング補正後の画像データをラッチする。ラッチされた画像データは、セレクタ７０または補正値算出回路６８へと出力される。
本実施形態において、ラッチ回路６０は、３つのラッチ６２、６４、６６を含む。ラッチ回路６０には、データＤ１〜Ｄ６が順に入力され、これらデータＤ１〜Ｄ６が３つのラッチ６２、６４、６６によって順にラッチされる。具体的には、データＤ１、Ｄ２、Ｄ３がラッチ６２、６４、６６によってラッチされる。そして、次のタイミングでは、データＤ２、Ｄ３、Ｄ４がラッチ６２、６４、６６にラッチされる。ラッチ回路６０は、このようなラッチ動作を制御部３６から供給されるクロック信号に基づいて順に行う。
【００３４】
また、ラッチ回路６０のラッチ６４によってラッチされたデータは、例えば制御部３６の制御により順にセレクタ７０へと出力される。
さらに、ラッチ回路６０に欠陥画素が読み取った画像データと欠陥画素の前後の画素が読み取った画像データとがラッチされている場合に、制御部３６の制御のもと、前後の画素が読み取った画像データがラッチ回路６０から補正値算出回路６８へと出力される。例えば上記の例において、欠陥画素であるＰ３が読み取ったデータＤ３とその前後のデータＤ２およびデータＤ４がラッチ回路６０にラッチされている場合に、データＤ２とデータＤ４とがラッチ回路６０から補正値算出回路６８へと出力される。
【００３５】
補正値算出回路６８は、ラッチ回路６０から受け取った画像データに基づき、欠陥画素が読み取った画像データを補正する補正値を算出する。本実施形態では、補正値算出回路６８は平均化回路であって、ラッチ回路６０から受け取った画像データから平均値を算出し、セレクタ７０へ出力する。上記の例の場合、補正値算出回路６８は、データＤ２とデータＤ４との平均値である平均値Ｄ３’を算出し、平均値Ｄ３’をセレクタ７０へ出力する。
【００３６】
セレクタ７０は、欠陥画素抽出部５６から欠陥画素の抽出結果を受け取った場合に、欠陥画素が読み取った画像データを補正値算出回路６８によって算出された画像データの平均値に置き換えて後段の回路へと出力する。上記の例では、Ｐ３が欠陥画素であるとの抽出結果を受け取ったセレクタ７０は、ラッチ回路６０から入力されたデータＤ３を補正値算出回路６８によって算出された平均値Ｄ３’に置き換える処理を行い後段の回路へと出力する。一方、セレクタ７０は、欠陥画素以外の周辺画素が読み取りラッチ回路６０から出力された画像データについては、置き換え処理を行うことなく後段の回路へ出力する。
【００３７】
エッジ強調回路７２は、セレクタ７０から出力された画像データに、さらにエッジ強調処理を行う。
ガンマ補正回路７４は、エッジ強調回路７２からの画像データに対してＣＣＤ４２の光電変換特性における非直線性を補正するためのガンマ補正処理を行う。
２値化回路７６はガンマ補正回路７４からの画像データを２値化して、シリアル／パラレル変換回路７８に入力する。シリアル／パラレル変換回路７８は２値化された画像データをパラレルデータに変換して画像形成装置３０へ出力する。
【００３８】
上記のような画像処理部５０を備えることで、シェーディング補正後の画像データから発生する画像不良を防止できる。
ＣＣＤの製品の性質上、周辺の画素に比べて感度が著しく異なる画素が発生する場合があるが、このような画素は、副走査方向へのライン状のノイズ等の画像不良を発生させていた。これは、周囲画素と著しい感度差を有する画素によって読み取られた画像データは、シェーディング補正を行っても原稿の濃度に対して正常濃度とは異なる濃度レベルを有して出力されるためである。またこのような濃度レベルの差は、シェーディング補正の後段処理であるエッジ強調処理によってさらに強調されるためである。
【００３９】
しかし、本実施形態では、欠陥画素Ｐ３が読み取った画像データＤ３を、欠陥画素の周囲の正常な画素Ｐ２および画素Ｐ４が読み取りシェーディング補正されたデータＤ２およびデータＤ４の平均値に置き換えることができる。従って、ＣＣＤ４２内に周囲の画素と著しく異なる感度を有する画素が発生していても、ＣＣＤ４２を交換することなく、シェーディング補正後の画像データから発生する画像不良を防止できる。
【００４０】
（３）特徴
上記実施形態は、下記のように表現可能である
本発明の一見地に係る画像読取装置１０は、原稿に光を照射する光源１４と、原稿からの反射光から画像データを読み取る撮像部１８とを有する画像読取装置１０である。画像読取装置１０は、シェーディングメモリ５２と、シェーディング補正回路５４と、欠陥画素抽出部５６と、読み取り画像データ補正部５８と、を備える。シェーディングメモリ５２は、シェーディング基準データを記憶する。シェーディング補正回路５４は、記憶されたシェーディング基準データに基づいて、撮像部１８によって読み取られた画像データをシェーディング補正する。欠陥画素抽出部５６は、シェーディング基準データに基づき欠陥画素Ｐ３を抽出する。読み取り画像データ補正部５８は、欠陥画素Ｐ３に対応するシェーディング補正後のデータＤ３を、欠陥画素Ｐ３の周辺の画素Ｐ２および画素Ｐ４に対応するシェーディング補正後のデータＤ２およびデータＤ４に基づき補正する。
【００４１】
ここでは、欠陥画素抽出部５６によって抽出された欠陥画素Ｐ３に対応するシェーディング補正後のデータＤ３を、欠陥画素Ｐ３の周辺の画素Ｐ２および画素Ｐ４に対応するシェーディング補正後のデータＤ２およびデータＤ４に基づき補正する。従って、シェーディング補正後の画像データから発生する画像不良の発生を防止できる。
【００４２】
読み取り画像データ補正部５８は、欠陥画素Ｄ３に隣接する複数の画素Ｐ２および画素Ｐ４に対応するシェーディング補正後のデータＤ２およびデータＤ４の平均値Ｄ３’に基づき、欠陥画素Ｐ３に対応するデータＤ３を補正する。
シェーディング基準データは、白基準データおよび黒基準データを含む。
【００４３】
（４）他の実施形態
以上、本発明の一実施形態について説明したが、本発明は上記実施形態に限定されるものではなく、発明の要旨を逸脱しない範囲で種々の変更が可能である。特に、本明細書に書かれた複数の実施形態および変形例は必要に応じて任意に組み合わせ可能である。
【００４４】
（４−１）上記の実施形態では、ラッチ回路６０が３つのラッチを有する例を挙げて説明した。しかし、欠陥画素が読み取った画像データと欠陥画素の周辺画素が読み取った画像データとをラッチできれば、ラッチの数は限定されず、例えばラッチ回路６０は５つのラッチを有してもよい。
この場合、ラッチ回路６０は、欠陥画素が読み取った画像データと、欠陥画素が読み取った画像データの主走査方向の１ラインにおける前後２つずつの画像データとを含む５つの画像データをラッチする。補正値算出回路６８は、ラッチ回路６０から入力された前後２つずつの画像データである合計４つの画像データの平均値を算出し、平均値をセレクタ７０に出力する。
【００４５】
（４−２）上記の実施形態では、読み取り画像データ補正部５８は、欠陥画素Ｐ３によって読み取られたデータＤ３を、主走査方向の１ラインにおける欠陥画素の前後の画素によって読み取られた画像データに基づき補正する例を挙げた。しかし、欠陥画素Ｐ３によって読み取られたデータＤ３を、欠陥画素の周辺の正常な画素によって読み込まれ、シェーディング補正された画像データに基づき補正するのであれば、上記実施形態に限定されない。
【００４６】
例えば、画像処理部にさらにラインメモリを設けておき、シェーディング補正後の画像データを主走査方向の１ライン毎にラインメモリに記憶させる。そして、欠陥画素によって読み取られた画像データを、１ライン内の画像データだけでなく、例えばラインメモリを参照して、副走査方向の前後ラインにおけるシェーディング補正後の周辺の画像データに基づき補正してもよい。図５は、他の実施形態における読み取り画像データ補正部による補正値の算出に用いられる画像データを示す図である。
【００４７】
例えば図５に示すとおり、読み取り画像データ補正部５８は、データＤ２およびデータＤ４だけでなく、副走査方向の前後ラインにあるデータＤ２−１、データＤ２＋１、データＤ４−１およびデータＤ４＋１を補正値の算出に用いる。そして、読み取り画像データ補正部５８は、これら６データの平均値を算出して、データＤ３と平均値とを置き換えてもよい。
【００４８】
（４−３）上記の実施形態では、補正値算出回路６８は、補正値としてラッチ回路６０から受け取った画像データを単純に平均した平均値を算出した。しかし、補正値算出回路は、受け取った画像データのうち所定の画像データに重み付けを行い、補正値を算出してもよい。
例えば上記の実施形態であれば、データＤ２とデータＤ４から補正値を求める際に、データＤ２に対して重みを付けた上で、データＤ２とデータＤ４との平均値を求めてもよい。
（４−４）上記の実施形態では、補正値算出回路６８は平均化回路である例を挙げた。しかし、補正値算出回路６８として平均化回路の代わりに、周知のバイキュービック処理を行う互換回路が用いられてもよい。そして、補正値算出回路６８は、欠陥画素の周囲にある正常な画像データに基づき３次補間処理を行い、補正値を算出してもよい。
（４−５）上記の実施形態では、ファクシミリ通信、電子メール通信、および画像形成等を実行する複合機について説明した。しかし、本発明はこれに限定されず、スキャナとプリンタの機能を有する画像形成装置にも適用できる。
【産業上の利用可能性】
【００４９】
本発明は、画像形成装置および画像読取機能を有するプリンタ、コピー機、ファクシミリ装置等の画像形成装置に利用可能である。
【符号の説明】
【００５０】
１      複合機
１０      画像読取装置
１２      筐体
１４      光源
１６      複数の反射鏡
１８      撮像部（イメージセンサ）
２０      プラテンガラス
２２      シェーディングプレート
２４      ＡＤＦ
２６      原稿押さえカバー
２８      操作部
３０      画像形成装置
３２      筐体
３４      画像形成部
３６      制御部
３８      給紙カセット
４０      排紙部
４２      ＣＣＤ
４４      ＡＦＥ
４６      Ａ／Ｄ変換部
５０      画像処理部
５２      シェーディングメモリ（記憶部）
５４      シェーディング補正回路（シェーディング補正演算部）
５６      欠陥画素抽出部
５８      読み取り画像データ補正部
６０      ラッチ回路
６８      補正値算出回路
７０      セレクタ
【図１】
2012044365.tif 000003
【図２】
2012044365.tif 000004
【図３】
2012044365.tif 000005
【図４】
2012044365.tif 000006
【図５】
2012044365.tif 000007